(57)【要約】      （修正有）【課題】糊代を貼り付け固定し蓋付きの箱本体を形成する特殊形状の板を使い、且つ仕切り棚も箱の中に置きいれ、箱内部をいくつかの小空間に区切ることができ、使用しない時は箱を展開して偏平状にし体積を縮小でき、よって多機能な使用目的を達成できる収納箱の提供。  【解決手段】底板と底板の前、後辺にはそれぞれ下前板と後板を連接し、後板には上板、上前板を連接し、底板の両側はそれぞれ側板を連接し、側板の前、後辺はそれぞれ折り曲げ片をもち、下前板、後板、上前板の両側、及び上前板の前縁内側面全て糊代を持っており、板を折り曲げた後、糊代と折り曲げ片は互いに折着し収納箱を形成し、収納箱内には門形或いは十字形の区切りを置き、収納箱内をいくつかの小空間に区切ることができる。また、収納箱は開け閉めの出来るドアも持ち、ドアには透明な窓があり、箱内の物品を見ることができる。  【選択図】図１
0003113909.tif 000002
【実用新案登録請求の範囲】
【請求項１】
左右両側辺を折り曲げ線１０Ａとし、前後両側辺を折り曲げ線１０Ｃ、１０Ｄとして成る底板１０の左右両側辺の折り曲げ線１０Ａ、１０Ｂに連接して前辺をくの字状辺とし、該辺の底板１０となる辺を折り曲げ線１１Ａとして折り曲げ片１１２を連接し、後辺を折り曲げ線１１Ｂとして折り曲げ片１１１を連接した側板１１を配し、その底板１０の前辺の折り曲げ線１１Ｃに両側辺に沿って糊代１４１とした下前板１４を配し、その底板１０の後辺の折り曲げ線１０Ｃに、左右両側辺に沿って糊代１２１とした後板１２を連設し、その後板１２の後辺を折り曲げ線１２Ａとし、その折り曲げ線１２Ａに左右両側を折り曲げ線１３Ａを介して突設した折り曲げ片１３１とする上板１３を連接し、その上板１３の後辺にセロファン等の透明材を配した透明窓１５３を形成して成る上前板１５を折り曲げ線１３Ｂを介して連接するとともに、前記上前板１５の後辺を折り曲げ線１５Ａとし、その折り曲げ線１５Ａに、持ち手１５２を後辺に配した糊代１５１を連設して成る型板１を、各折り曲げ線毎に沿って折り曲げ、それぞれの糊代に対応する折り曲げ片をそれぞれの糊代に接着して箱体となし、該箱体中に短形板の長辺の両端側を直角に折り曲げて折曲部を両脚とした門形板２の平板３１部の中央に両脚に平行し切込み３１１を設け、該門形板の平板に設けた切込みに咬み合う切込３２１を設けた衝立板３２の切込みを咬み合わせて形成した仕切段３を収容したことを特徴とする多機能収納箱。
【考案の詳細な説明】
【技術分野】
【０００１】
本考案は一種の収納箱に関わる物であり、特に箱本体を展開できる、或いは折りたたんで小さくできる等の多機能な構造に関するものである。
【背景技術】
【０００２】
現在、収蔵に便利なように体積を縮小できる折り畳み式の収納箱の種類は既に大変多い。例えば、軟質布を使った直角形の収納箱、直角収納箱の上端四辺にはそれぞれ上部水平棒があり、収納箱下端の相対する両辺にもそれぞれ下部水平棒があり、収納箱の四つの垂直辺にもそれぞれ縦棒があり、隣との上部水平棒端部の間隔、隣との下部水平棒の間隔、縦棒と上部、下部水平棒の端部の間隔は適当な距離を保たせている。軟質素材の収納箱は縦棒、上部水平棒、下部水平棒に支えられ、物を置き入れる事が出来る収納箱となり、ねじり回すと折り畳んで偏平状にできる。
【０００３】
上述したような以前の技術は収納箱下端の相対する両側において下部水平棒を設置せねばならず、よってその構造は複雑であり、操作を不便に感じる。さらに、収納箱は軟質の布製であり、各角の端にある棒で支えられてはいるが、収納箱のそれぞれの面はやはり柔らかい素材であり、そのような素材の収納箱が好きではない使用者にとり満足できないものである。ただし、もし硬質板材を収納箱の材料に使用するならば、収納箱を折り畳ませるという機能がなくなってしまう。更に言うと、伝統的な折り畳み式収納箱は多方面の機能を備えてはいない。
【考案の開示】
【考案が解決しようとする課題】
【０００４】
本考案の主な目的は、折り畳んだ後、糊代を貼り付け固定し蓋付きの箱本体を形成する特殊形状の板を使い、且つ仕切り棚も箱の中に置きいれ、箱内部をいくつかの小空間に区切ることができ、使用しない時は箱を展開して偏平状にし体積を縮小でき、よって多機能な使用目的を達成できる。
【０００５】
本考案のもう一つの目的は、折り畳んだ後糊代を貼り付け固定すると上方の一部が透明なケースとなり、使用しないときは、偏平で小体積のケースへ展開できる。
【０００６】
本考案の更なる目的は、弾性のある材料を利用し、展開不可能だが、折り畳み小さな体積とできるケースと蓋である。
【課題を解決するための手段】
【０００７】
上述の目的を達成するため、本考案の第一の技術手段として、収納箱は一枚の底板を含む一枚の板により形成されており、底板の前、後辺はそれぞれ下前板と後板に連接しており、後板のの後ろ端は上板に連接し、上板の後ろ端は上前板に連接している。底板の両側ははそれぞれ側板に連接し、側板の前、後辺はそれぞれ延長板をもち、且つその延長板は全て糊代を持っており、下前板、後板、上前板の両側、及び上前板の前縁内側面全て糊代を持っており、板を折り畳んだ後、糊代は互いに結合し収納箱を形成する。また、収納箱内には門形或いは十字形の区切りを置きいれることができ、収納箱内をいくつかの小空間に区切ることができる。また、収納箱は開け閉めの出来るドアも持ち、ドアには透明な窓があり、箱内の物品を見ることができる。
【０００８】
本考案の第二の技術手段として、収納箱は一枚の底板を含む一枚の板により形成されており、底板の前、後辺はそれぞれ前面板と後面板に連接しており、底板の両側ははそれぞれ側板に連接し、側板の前、後辺はそれぞれ延長板をもち、且つその延長板は全て糊代を持っており、前面板と後面板の両側は全て糊代があり、板を折り畳んだ後、糊代は互いに結合し収納箱を形成する。
【０００９】
本考案の第三の技術手段として、弾性素材で箱本体と蓋本体を作り、底板の前、後辺の前面板と後面板は底板の両側の側面板につながっており、その底板、前面板、後面板の中間には折り畳むことができるように折れ線がある。弾性素材で作られた蓋本体は箱本体の上方の輪郭に対応しており、その周辺には端部分をもち、蓋本体を箱本体の上面に覆いかぶすことができる。
【考案の効果】
【００１０】
一種の多機能収納箱であり、収納箱は一枚の底板を含む一枚の板により形成されており、底板の前、後辺はそれぞれ下前板と後板に連接しており、後板のの後ろ端は上板に連接し、上板の後ろ端は上前板に連接している。底板の両側ははそれぞれ側板に連接し、側板の前、後辺はそれぞれ延長板をもち、且つその延長板は全て糊代を持っており、下前板、後板、上前板の両側、及び上前板の前縁内側面全て糊代を持っており、板を折り畳んだ後、糊代は互いに結合し収納箱を形成する。また、収納箱内には門形或いは十字形の区切りを置きいれることができ、収納箱内をいくつかの小空間に区切ることができる。また、収納箱は開け閉めの出来るドアも持ち、ドアには透明なセロファン、合成樹脂フィルムを貼った窓があり、箱内の物品を見ることができる。
【考案を実施するための最良の形態】
【００１１】
図１は本案件の第1の実施例であり、板1は底板10と一体となり、底板10前と後でそれぞれ下前板14と後板12につながり、後板12の後端は上板13につながり、上板13の後端は上前板15につながり、および底板10の両側でそれぞれ側板11につながり、側板11の前辺は「く」の字形の双斜辺になり、この「く」の字形の下方斜辺と側板11の後辺はそれぞれ延伸板111に連接しており、しかも延伸板111の外側面は全て糊代121がある。他、下前板14、後板12、上板13の両側、および上前板15の前縁縁側には全て糊代141、121、131、151がある。上前板15にはまた透明窓153があり、上前板15の前縁には持ち手152が設けてある。各板の接続個所は折れ線で形成されている(点線表示)。図２で示されるように折り曲げ、両側の側板11と下前板14は底板10に相対するように折り曲げ、そして糊代112と141を互いに粘着固定させ、更に後板12は底板10に相対するように折り曲げ、そして糊代121と側板11後辺の糊代111を粘着固定的させ、それから上板13を折り曲げ上方を覆い、上板13の両側は90度折り曲げることができ、糊代131を側板11の外側面に貼り合わせることができる(図３参照)。
最後に上前板15は箱前方斜面を覆い、糊代151は下前板14に貼り合わせる（図４参照）。或いは持ち手152を引き上げ上前板15を開けることができる。組み立てられた収納箱は物品を入れることができ、セロファン、合成樹脂フィルムを貼った透明窓153から物品の状態を見ることが出来る。
【００１２】
収納箱内部を存分に小物を置いて利用する為、本考案は更に収納は個内部に仕切りを作る。図５は仕切りの実施例であり、一枚の板の両側を垂直に折り曲げた脚板とする門形の仕切り2は直接収納箱内に設置し収納箱内部を上と下の空間に区切る事が出来る。図６はその他の仕切りの実施例であり、前記門形の仕切り２の水平面に切り込み311がある門形の仕切り31とし、その切り込み３１１に水平な切り込み321がある垂直板３２の切り込み３２１を差し込んで十字形の棚3を形成する（図７参照）。十字形の棚3は収納箱に入れると収納箱内部の空間を四つの小さい空間に区切る事が出来る。図９は、図３に示す状態の上前板を開いた収納箱と、図４に示す状態の上前板を閉じた収納箱を重ねた状態の図面である。
【００１３】
図１１は、本考案の収納箱の両側板の内側の両側の間に突っ張り棒16を設置し、靴を入れる収納箱にも適していることを示している。図１２のように、片方の靴を収納ケース本体の底に置き、もう片方の靴を突っ張り棒16に立てかけ、両方の靴が互いに積み重なる事を防ぐ。
【００１４】
１２は本考案は更に多くの収納ケースを並列、垂直に積み重ね、更に多くの物を入れることも出来ることを示している。
【００１５】
図１６本考案の二種類目の実施例であり、底板1A0、底板1A0の前後はそれぞれ前面板1A2と後面板1A3につながり、および底板1A0の両側はそれぞれ側板1A1につながり、側板1A1の前、後辺のとも「く」の字形の両斜面1A11を形成し、そしてこの「く」の字形の下斜辺は糊代1A10につながっており、糊代1A10の外側表面には糊代（接着面）1A12があり、しかも前面板1A2と後面板1A3の両側には糊代1A21があり、たとえば両側板1A1及び前、後板の1A2と1A3を底板1A0を折り返し、糊代1A21と1A12を張り付け固定し、収納箱1Aが完成できる。図１７が示すように、収納箱1Aはさらに展開可能な蓋1Bと組み合わせることもでき、折り畳んで完成した蓋1Bの上方の輪郭形状は下の収納箱と対応し覆いかぶせることができる。
【００１６】
図１３は本考案の三種類目の実施例を示しており、収納箱4、蓋5と底板6で構成されている。其の内、収納箱4は弾性のある素材で作られており、底面の前、後辺につながっている前面と後面、底面両側の側面で構成されており、前面、後面の中間には折れ線41があり、折れ線41にそって収納箱4は偏平状に折り畳める（図１４参照）。底板6も二つに折り曲げ小体積にすることができる。蓋5は弾性弾性素材であり、下の収納箱部分1A上方の輪郭に対応しており、その周辺には延長板51があり、隣の延長板と接する角部分には隙間を残しておき、弾性材52は両側の延長板51につながっている。各縁51Ｊを折り畳んで蓋5を偏平状にすることが出来る（図１５参照）。
【図面の簡単な説明】
【００１７】
【図１】本考案は展開可能な箱であり、其の展開したシート構造を示した立体図。
【図２】図１が示す板を折り曲げた立体動作図。
【図３】図１が示す板を折り曲げ箱を作成した後、蓋をかぶせていない時の状態図。
【図４】図３の蓋がかぶせられた時の状態図。
【図５】本考案の門形態の立体図。
【図６】本考案の十字形棚の組み合わせ立体図。
【図７】図６が示す部品を組み合わせ、十字形の棚を作成した後の立体図。
【図８】図７が示す十字形棚を箱の中に入れた実施例立体図。
【図９】本考案の箱は上下で積み上げられる事を示した実施例立体図。
【図１０】本考案は箱内の両側板間に突っ張り棒を設置することが出来る事を示した実施例立体図。
【図１１】本考案は箱内に突っ張り棒を設置し、靴を置きいれることができる事を示した実施例立体図。
【図１２】本考案は複数の箱を並列、積み重ねる事が出来る事を示した実施例平面図。
【図１３】本考案は展開できない箱で構成され、蓋と底板等組み立て部品の実施例立体図。
【図１４】図１３が示す箱を折り畳んだ後の形態立体図。
【図１５】図１３が示す蓋を折り畳んだ後の形態立体図。
【図１６】展開可能な箱構造である本考案のもう一つの実施例立体図。
【図１７】図１６の板を組み合わせた後の箱と蓋の実施例立体図。
【符号の説明】
【００１８】
１        板
１Ａ０    底板
１Ａ１    側板
１Ａ１１  両斜面
１Ａ２    前面板
１Ａ３    後面板
１Ａ２１  糊代1
１２      後板
１３１    糊代
１４      下前板
１５      上前板
１５２    持ち手
１５３    透明窓
１６      突っ張り棒
３１      仕切り
３１１    切り込み
３２      垂直板
４        収納箱
４１      折れ線
５        蓋
６        底板
【図１】
0003113909.tif 000003
【図２】
0003113909.tif 000004
【図３】
0003113909.tif 000005
【図４】
0003113909.tif 000006
【図５】
0003113909.tif 000007
【図６】
0003113909.tif 000008
【図７】
0003113909.tif 000009
【図８】
0003113909.tif 000010
【図９】
0003113909.tif 000011
【図１０】
0003113909.tif 000012
【図１１】
0003113909.tif 000013
【図１２】
0003113909.tif 000014
【図１３】
0003113909.tif 000015
【図１４】
0003113909.tif 000016
【図１５】
0003113909.tif 000017
【図１６】
0003113909.tif 000018
【図１７】
0003113909.tif 000019